(57)【要約】【課題】担当者に対するサポート性を向上することができる重要物管理装置の提供。【解決手段】重要物１１をロック状態で保持可能な複数の保持手段３１と、複数の保持手段３１それぞれについての、他と識別するための識別情報と保持する重要物１１の用途情報とを関連付けて記憶する基本情報記憶手段と、複数の保持手段３１の中からいずれかを選択する選択指定を受け付ける第１の指定手段５１と、第１の指定手段５１で選択指定を受け付けた保持手段３１の識別情報に関連する用途情報を基本情報記憶手段から読み出して出力する出力制御手段２５とを備える。【選択図】図１
2008223426.tif 000002
【特許請求の範囲】
【請求項１】
重要物をロック状態で保持可能な複数の保持手段と、
前記複数の保持手段それぞれについての、他と識別するための識別情報と保持する重要物の用途情報とを関連付けて記憶する基本情報記憶手段と、
前記複数の保持手段の中からいずれかを選択する選択指定を受け付ける第１の指定手段と、
前記第１の指定手段で選択指定を受け付けた保持手段の識別情報に関連する用途情報を前記基本情報記憶手段から読み出して出力する出力制御手段とを備えたことを特徴とする重要物管理装置。
【請求項２】
前記第１の指定手段が保持手段の選択指定を受け付けると、当該選択指定された保持手段のロックを解除するロック解除手段を有し、
前記出力制御手段は、
前記第１の指定手段で選択指定を受け付け、前記ロック解除手段でロックが解除された保持手段の識別情報に関連する用途情報を前記基本情報記憶手段から読み出して、該用途情報のログ情報を作成するログ情報作成手段と、
該ログ情報作成手段によって作成されたログ情報を出力する出力手段とを備えたことを特徴とする請求項１記載の重要物管理装置。
【請求項３】
前記複数の保持手段それぞれに設けられて、重要物の持ち出しおよび返却を検出する持出・返却検出手段と、
該持出・返却検出手段の検出結果を持出・返却情報として保持手段の識別情報と関連付けて記憶する持出・返却記憶手段とを備え、
前記ログ情報作成手段は、前記第１の指定手段で選択指定を受け付けた保持手段の識別情報に関連する用途情報を前記基本情報記憶手段から読み出すとともに、前記第１の指定手段で選択指定を受け付けた保持手段の識別情報に関連する持出・返却情報を前記持出・返却記憶手段から読み出して、これら用途情報および持出・返却情報のログ情報を作成することを特徴とする請求項２記載の重要物管理装置。
【請求項４】
出力操作を受け付ける出力操作手段を備え、
該出力操作手段が出力操作を受け付けると、前記出力制御手段が、前記ログ情報作成手段によって作成されたログ情報を出力することを特徴とする請求項２または３記載の重要物管理装置。
【請求項５】
基準時点から所定の時間が経過したか否かを判断する経過時間判断手段を備え、
該経過時間判断手段が基準時点から所定の時間が経過したと判断すると、前記出力制御手段が、前記ログ情報作成手段によって作成されたログ情報を出力することを特徴とする請求項２乃至４のいずれか一項記載の重要物管理装置。
【請求項６】
所定の時刻となったか否かを判断する時刻判断手段を備え、
該時刻判断手段が所定の時刻になったと判断すると、前記出力制御手段が、前記ログ情報作成手段によって作成されたログ情報を出力することを特徴とする請求項２乃至５のいずれか一項記載の重要物管理装置。
【請求項７】
前記複数の保持手段の中からいずれかを選択する選択指定を受け付ける第２の指定手段と、
用途情報の入力を受け付ける用途情報入力手段と、
前記第２の指定手段が保持手段の選択指定を受け付けると、当該選択指定された保持手段の識別情報と、当該選択指定に関連して前記用途情報入力手段によって入力された用途情報とを関連付けて前記基本情報記憶手段に記憶させる記憶制御手段とを備えたことを特徴とする請求項１乃至６のいずれか一項記載の重要物管理装置。
【請求項８】
通常モードおよび管理モードのうちのいずれか一方のモードが選択設定されるモード設定手段を備え、
前記出力制御手段は、前記モード設定手段によって前記通常モードが設定されている場合に、前記第１の指定手段が前記保持手段の選択指定を受け付けると、当該選択指定を受け付けた保持手段の識別情報に関連する用途情報を前記基本情報記憶手段から読み出して出力することになり、
前記記憶制御手段は、前記モード設定手段によって前記管理モードが設定されている場合に、前記第２の指定手段が前記保持手段の選択指定を受け付けると、当該選択指定された保持手段の識別情報と、当該選択指定に関連して前記用途情報入力手段によって入力された用途情報とを関連付けて前記基本情報記憶手段に記憶させることを特徴とする請求項７記載の重要物管理装置。
【発明の詳細な説明】
【技術分野】
【０００１】
本発明は、鍵や管理カード等の重要物を管理する重要物管理装置に関する。
【背景技術】
【０００２】
金融機関に設置された金庫や現金処理機等を開閉するための鍵は、これを確実かつ安全に保管する必要があるため、通常は鍵管理装置に保管されている。この種の鍵管理装置の一例として、鍵を保持する保持部がロック可能な蓋体で閉塞され、認証カードの認証や暗証番号の入力等によってロックを解除して蓋体を開くことで鍵が持ち出せる構成となっているものがある（例えば、特許文献１参照）。
【０００３】
また、鍵管理装置において、鍵の管理を徹底するために、各鍵の持ち出しに関連して、持ち出した鍵が収納されていたホルダの識別番号、鍵を持ち出した操作者の識別、持ち出した時間および返却した時間等のログ（履歴）を記録し、このログを後で見られるようにしたものがある（例えば、特許文献２参照）。
【特許文献１】特開２００２−２１３７９号公報
【特許文献２】特開２００３−３０７０６１号公報
【発明の開示】
【発明が解決しようとする課題】
【０００４】
特許文献１に開示された鍵管理装置は、担当者が暗証番号等を入力すると対応する鍵が持ち出し可能になるものであるが、持ち出し後の使用についてのサポートについては何も考慮されておらず、担当者に対するサポート性が十分でないという問題があった。
【０００５】
また、特許文献２に開示された鍵管理装置では、ホルダの識別番号、鍵を持ち出した持出者の識別、持ち出した時間および返却した時間のログを記録しているため、鍵の使用状況の管理作業等を行う場合に、このログを出力させることで、作業をサポートすることが可能となっている。しかしながら、この内容のログでは、担当者に対するサポート性が十分ではないという問題があった。
【０００６】
したがって、本発明は、担当者に対するサポート性を向上することができる重要物管理装置の提供を目的とする。
【課題を解決するための手段】
【０００７】
上記目的を達成するために、請求項１に係る発明は、重要物をロック状態で保持可能な複数の保持手段と、前記複数の保持手段それぞれについての、他と識別するための識別情報と保持する重要物の用途情報とを関連付けて記憶する基本情報記憶手段と、前記複数の保持手段の中からいずれかを選択する選択指定を受け付ける第１の指定手段と、前記第１の指定手段で選択指定を受け付けた保持手段の識別情報に関連する用途情報を前記基本情報記憶手段から読み出して出力する出力制御手段とを備えたことを特徴としている。
【０００８】
請求項２に係る発明は、請求項１に係る発明において、前記第１の指定手段が保持手段の選択指定を受け付けると、当該選択指定された保持手段のロックを解除するロック解除手段を有し、前記出力制御手段は、前記第１の指定手段で選択指定を受け付け、前記ロック解除手段でロックが解除された保持手段の識別情報に関連する用途情報を前記基本情報記憶手段から読み出して、該用途情報のログ情報を作成するログ情報作成手段と、該ログ情報作成手段によって作成されたログ情報を出力する出力手段とを備えたことを特徴としている。
【０００９】
請求項３に係る発明は、請求項２に係る発明において、前記複数の保持手段それぞれに設けられて、重要物の持ち出しおよび返却を検出する持出・返却検出手段と、該持出・返却検出手段の検出結果を持出・返却情報として保持手段の識別情報と関連付けて記憶する持出・返却記憶手段とを備え、前記ログ情報作成手段は、前記第１の指定手段で選択指定を受け付けた保持手段の識別情報に関連する用途情報を前記基本情報記憶手段から読み出すとともに、前記第１の指定手段で選択指定を受け付けた保持手段の識別情報に関連する持出・返却情報を前記持出・返却記憶手段から読み出して、これら用途情報および持出・返却情報のログ情報を作成することを特徴としている。
【００１０】
請求項４に係る発明は、請求項２または３に係る発明において、出力操作を受け付ける出力操作手段を備え、該出力操作手段が出力操作を受け付けると、前記出力制御手段が、前記ログ情報作成手段によって作成されたログ情報を出力することを特徴としている。
【００１１】
請求項５に係る発明は、請求項２乃至４のいずれか一項に係る発明において、基準時点から所定の時間が経過したか否かを判断する経過時間判断手段を備え、該経過時間判断手段が基準時点から所定の時間が経過したと判断すると、前記出力制御手段が、前記ログ情報作成手段によって作成されたログ情報を出力することを特徴としている。
【００１２】
請求項６に係る発明は、請求項２乃至５のいずれか一項に係る発明において、所定の時刻となったか否かを判断する時刻判断手段を備え、該時刻判断手段が所定の時刻になったと判断すると、前記出力制御手段が、前記ログ情報作成手段によって作成されたログ情報を出力することを特徴としている。
【００１３】
請求項７に係る発明は、請求項１乃至６のいずれか一項に係る発明において、前記複数の保持手段の中からいずれかを選択する選択指定を受け付ける第２の指定手段と、用途情報の入力を受け付ける用途情報入力手段と、前記第２の指定手段が保持手段の選択指定を受け付けると、当該選択指定された保持手段の識別情報と、当該選択指定に関連して前記用途情報入力手段によって入力された用途情報とを関連付けて前記基本情報記憶手段に記憶させる記憶制御手段とを備えたことを特徴としている。
【００１４】
請求項８に係る発明は、請求項７に係る発明において、通常モードおよび管理モードのうちのいずれか一方のモードが選択設定されるモード設定手段を備え、前記出力制御手段は、前記モード設定手段によって前記通常モードが設定されている場合に、前記第１の指定手段が前記保持手段の選択指定を受け付けると、当該選択指定を受け付けた保持手段の識別情報に関連する用途情報を前記基本情報記憶手段から読み出して出力することになり、前記記憶制御手段は、前記モード設定手段によって前記管理モードが設定されている場合に、前記第２の指定手段が前記保持手段の選択指定を受け付けると、当該選択指定された保持手段の識別情報と、当該選択指定に関連して前記用途情報入力手段によって入力された用途情報とを関連付けて前記基本情報記憶手段に記憶させることを特徴としている。
【発明の効果】
【００１５】
請求項１に係る発明によれば、第１の指定手段が複数の保持手段の中からいずれかを選択する選択指定を受け付けると、出力制御手段が、当該選択指定された保持手段の識別情報に関連する、保持する重要物の用途情報を、これら識別情報と用途情報とを関連付けて記憶している基本情報記憶手段から読み出して出力する。このように、保持する重要物の用途情報を出力するため、担当者に対するサポート性を向上することができる。
【００１６】
請求項２に係る発明によれば、第１の指定手段が保持手段の選択指定を受け付けると、ロック解除手段が、当該選択指定された保持手段のロックを解除することになるが、ログ情報作成手段は、第１の指定手段で選択指定を受け付け、ロック解除手段でロックが解除された保持手段の識別情報に関連する、保持する重要物の用途情報を、これら識別情報と用途情報とを関連付けて記憶している基本情報記憶手段から読み出して、この用途情報のログ情報を作成し、出力手段が、このように作成された用途情報のログ情報を出力することになる。このように、保持する重要物の用途情報のログ情報を出力するため、担当者に対する、特に重要物の使用状況の確認作業のサポート性を向上することができる。
【００１７】
請求項３に係る発明によれば、ログ情報作成手段が、第１の指定手段で選択指定を受け付けた保持手段の識別情報に関連する、保持する重要物の用途情報を、これら識別情報と用途情報とを関連付けて記憶している基本情報記憶手段から読み出すとともに、第１の指定手段で選択指定を受け付けた保持手段の識別情報に関連する持出・返却情報を、これら持出・返却情報と識別情報とを関連付けて記憶している持出・返却記憶手段から読み出して、これら用途情報および持出・返却情報のログ情報を作成することになり、出力手段が、このように作成された用途情報および持出・返却情報のログ情報を出力することになる。このように、保持する重要物の用途情報および持出・返却情報のログ情報を出力するため、重要物の使用状況の確認がさらに容易となる。
【００１８】
請求項４に係る発明によれば、出力操作手段が出力操作を受け付けると、出力制御手段が、ログ情報作成手段によって作成されたログ情報を出力することになるため、任意のタイミングでログ情報を出力することができる。
【００１９】
請求項５に係る発明によれば、経過時間判断手段が基準時点から所定の時間が経過したと判断すると、出力制御手段が、ログ情報作成手段によって作成されたログ情報を出力することになるため、適宜のタイミングで自動的にログ情報を出力することができる。
【００２０】
請求項６に係る発明によれば、時刻判断手段が所定の時刻になったと判断すると、出力制御手段が、ログ情報作成手段によって作成されたログ情報を出力することになるため、適宜のタイミングで自動的にログ情報を出力することができる。
【００２１】
請求項７に係る発明によれば、第２の指定手段が保持手段の選択指定を受け付けると、記憶制御手段が、当該選択指定された保持手段の識別情報と、当該選択指定に関連して用途情報入力手段によって入力された用途情報とを関連付けて基本情報記憶手段に記憶させるため、保持する重要物を変更した場合等に、変更に応じて、基本情報記憶手段に記憶する用途情報を変更することができる。
【００２２】
請求項８に係る発明によれば、出力制御手段は、モード設定手段によって通常モードが設定されている場合に、第１の指定手段が保持手段の選択指定を受け付けると、当該選択指定を受け付けた保持手段の識別情報に関連する用途情報を基本情報記憶手段から読み出して出力することになり、記憶制御手段は、モード設定手段によって管理モードが設定されている場合に、第２の指定手段が保持手段の選択指定を受け付けると、当該選択指定された保持手段の識別情報と、当該選択指定に関連して用途情報入力手段によって入力された用途情報とを関連付けて基本情報記憶手段に記憶させるため、第１の指定手段および第２の指定手段を共用化しても別の操作用として用いることができる。
【発明を実施するための最良の形態】
【００２３】
本発明に係る重要物管理装置の一実施形態である鍵管理装置を図面を参照して以下に説明する。
【００２４】
本実施形態の鍵管理装置１０は、銀行等の金融機関の店舗で使用されるもので、図１に示すように、複数の重要物である鍵１１を整列状態で着脱可能に保持するものである。
【００２５】
鍵管理装置１０は、鍵管理装置本体１４と、鍵管理装置本体１４の下部側所定範囲からなる開閉部１５を覆う開閉可能なカバー１６とを有している。カバー１６は、鍵管理装置本体１４の側縁部に設けられたヒンジ１７を介して一端側が鍵管理装置本体１４に回動可能に連結されており、他端側の内面には、係合突起部１８および検出突起部１９が固定されている。
【００２６】
鍵管理装置本体１４には、カバー１６で閉塞されない上部に、担当者による暗証番号等の入力操作や文字の入力操作がなされる複数の操作キー２１ａからなる操作部（出力操作手段，用途情報入力手段，モード設定手段）２１と、日時、操作状況、アラーム情報およびガイダンス等を表示する液晶ディスプレイからなる表示部（出力制御手段）２２と、ＩＤカード２３が走査されると、このＩＤカード２３からデータを読み取るカードリーダ２４と、必要な情報を紙面に印字して鍵管理装置本体上面の排紙口２５ａから排紙するプリンタ部（出力制御手段，出力手段）２５とが設けられている。なお、ＩＤカード２３は、ＩＣチップを有する電子カードや磁気カード等からなるもので、鍵管理装置１０の使用が許可されたすべての担当者にそれぞれ個別に準備されて他との識別のための個別の担当者識別番号（言い換えればカード識別番号）等が記憶されている。また、複数の操作キー２１ａからなる操作部２１は、数字のほかに、アルファベット、ひらがなおよびカタカナのうちの少なくとも一種類の入力が可能となっている。必要により漢字変換を可能としても良い。
【００２７】
鍵管理装置本体１４には、カバー１６で閉塞されない側部に、主電源のオン・オフ操作が入力される電源スイッチ２７と、外部電源用の電源ケーブルが接続される接続部２８とが設けられている。
【００２８】
カバー１６で閉塞される開閉部１５には、それぞれが一対一で対応する鍵１１を取り外し不可となるようにロック状態で保持する多数の鍵保持部（保持手段）３１が整列状態で設けられている。また、開閉部１５には、カバー１６の閉時に係合突起部１８が挿入される係合挿入穴３２と、カバー１６の閉時に検出突起部１９が挿入される検出挿入穴３３とが設けられている。
【００２９】
係合挿入穴３２の内側には、係合挿入穴３２に挿入された係合突起部１８をロックおよびロック解除する電磁駆動式のカバーロック機構３５が設けられており、検出挿入穴３３の内側には、検出挿入穴３３に挿入された検出突起部１９の挿入・非挿入を検出する閉検出センサ３７が設けられている。カバーロック機構３５は、カバー１６が閉じられることで検出突起部１９の挿入を開閉検出センサ３７が検出すると、係合突起部１８を係合挿入穴３２内でロックする。
【００３０】
鍵管理装置１０は、鍵管理装置本体１４の上部に設けられた取っ手３８を介して持ち運び可能となっており、また背面に設けられた折り畳み収納式のスタンド３９を用いることで机上等に傾斜状態で立設可能となっている。
【００３１】
鍵１１は、鍵本体４１とこれに着脱可能に連結されたキーホルダ４２とを有しており、キーホルダ４２には、これが設けられた鍵１１を他の鍵１１と識別するための個別の鍵識別番号が記憶された図２に示すＩＤチップ４３が埋設されている。さらに、キーホルダ４２は、ＩＤチップ４３に記憶されたものと同じ個別の鍵識別番号が視認可能に表記される鍵識別表記部４４を有している。鍵１１は、その用途が、金融機関に設置された金庫の扉の開閉用、現金処理機の扉の開閉用、現金処理機の扉内の現金収納庫の扉の開閉用、現金処理機の扉内の回収庫の扉の開閉用、現金処理機の主電源のオン・オフ切り換え用等となっている。
【００３２】
鍵保持部３１は、それぞれが、鍵１１のキーホルダ４２が挿入される個別の図１に示すキーホルダ装着穴４５と、キーホルダ装着穴４５にキーホルダ４２が挿入されるとこれをロックしてロック状態で保持し、かつロック解除可能な個別の電磁駆動式の図２に示す鍵ロック機構（ロック解除手段）４６とを有している。
【００３３】
また、鍵保持部３１は、それぞれが、同じ鍵保持部３１を構成する鍵ロック機構４６のロックを解除する際に押圧される操作ボタンであって点灯および点滅可能な表示ランプ５０が一体に設けられた操作ボタン（第１の指定手段，第２の指定手段）５１と、装着されたキーホルダ４２のＩＤチップ４３と通信可能であって通信状態から非通信状態への切り替えで鍵１１の持ち出しを検出し非通信状態から通信状態への切り替えで鍵１１の返却を検出する通信部（持出・返却検出手段）５２とを有している。すべての鍵保持部３１には、他の鍵保持部３１と識別するための例えば「００１」〜「０３０」のような個別の保持部識別番号（識別情報）が割り振られており、キーホルダ装着穴４５の上側には、保持部識別番号が視認用に記載される保持部識別表記部５３が設けられている。なお、ここでは、キーホルダ４２に対して割り当てられた鍵識別番号と、鍵保持部３１に対して割り当てられた保持部識別番号とを共通の番号としている。以下の説明では、この共通の識別番号を鍵・保持部識別番号とする。
【００３４】
鍵管理装置本体１４は、上記各部を制御する制御部（出力制御手段，ログ情報作成手段，経過時間判断手段，時刻判断手段，記憶制御手段，モード設定手段）５５と、制御部５５とデータのやり取りが可能なＲＡＭやＨＤＤ等からなる記憶部（基本情報記憶手段，持出・返却記憶手段）５６とを有している。
【００３５】
記憶部５６には、鍵管理装置１０を使用可能な担当者識別番号および使用時に入力される暗証番号が記憶されており、また、それぞれの担当者識別番号について、モード切替（後述）の許可の有無および使用可能な鍵１１およびこれを保持する鍵保持部３１の鍵・保持部識別番号が関連付けされて記憶されている。つまり、担当者の職務範囲や権限に応じてモード切替の許可の有無が決められるため、担当者毎にモード切替の許可の有無が記憶されている。また、担当者の職務範囲や権限に応じて使用可能な鍵１１が異なるため、担当者毎に鍵１１の持ち出しが可能な鍵保持部３１が決められており、この関係が記憶されている。
【００３６】
さらに、記憶部５６には、各鍵保持部３１の鍵・保持部識別番号に一対一で対応して、保持する鍵１１の用途情報（目的、適用箇所）が関連付けされて記憶されている。つまり、各鍵保持部３１には保持する鍵１１が一対一で決められており、鍵１１にはそれぞれ、金庫の扉開閉用、現金処理機の扉開閉用、現金処理機の現金収納庫の扉開閉用、現金処理機の回収庫の扉開閉用、現金処理機の主電源のオン・オフ切換用等の用途（目的、使用する場所）が決められているため、複数の鍵保持部３１それぞれについての、個別の保持部識別情報と、保持する鍵１１の用途情報とが関連付けされて記憶されている。例えば、記憶部５６には、図３に一例を示すように、鍵・保持部識別番号の「００１」とその用途情報としての「キンコ  トビラ」とが関連付けされて記憶されており、鍵・保持部識別番号の「００２」とその用途情報としての「ＡＴＭ１ゴウキ  トビラ」とが関連付けされて記憶されており、鍵・保持部識別番号の「００３」とその用途情報としての「ＡＴＭ１ゴウキ  シュウノウコＡ  カギ」とが関連付けされて記憶されており、鍵・保持部識別番号の「００４」とその用途情報としての「ＡＴＭ１ゴウキ  カイシュウコ  カギ」とが関連付けされて記憶されている。
【００３７】
鍵管理装置１０は、通常モード、管理モードおよびログ出力モードでの使用が可能となっており、これらのモードの切り替えは、モード切替の許可有の担当者識別番号をＩＤカード２３から読み取った場合にのみ可能となる。モード切替の許可無の担当者識別番号をＩＤカード２３から読み取った場合、制御部５５は、以下の通常モードを自動的に選択し、モード切替の許可有の担当者識別番号をＩＤカード２３から読み取った場合、表示部２２へモード選択画面を表示させる。この表示は、例えば「１．通常モード  ２．ログ出力モード  ３．管理モード」といった表示となり、この場合、操作者は、操作キー２１ａの数字入力でモードを選択する。制御部５５は、選択されたモードを実行する。
【００３８】
「通常モード」
通常モードについて説明する。通常モードにおいて、担当者が鍵管理装置１０から鍵１１を持ち出す場合には、まず、カードリーダ２４にＩＤカード２３を走査させるとともに、鍵１１の持ち出し許可のために設定された暗証番号を操作部２１に入力する。すると、カードリーダ２４は、読み取ったＩＤカード２３の担当者識別番号および入力された暗証番号を制御部５５に送信することになり、制御部５５は記憶部５６に記憶されたデータと照合することで担当者識別番号および暗証番号が適正である場合に、カバーロック機構３５を駆動してカバー１６のロックを解除するとともに、この担当者識別番号に対して設定された鍵・保持部識別番号を有する鍵保持部３１をロック解除可能とするべく対応するすべての操作ボタン５１の表示ランプ５０を点灯させる。なお、担当者識別番号および暗証番号が適正である場合に、すべての鍵保持部３１をロック解除可能とする設定としても良い。
【００３９】
担当者は、ロックが解除されたカバー１６を開き、表示ランプ５０が点灯している鍵保持部３１の中から所望の鍵１１が保持された鍵保持部３１の操作ボタン５１を、保持部識別表記部５３に表記された鍵・保持部識別番号の識別を視認して押すことになる。つまり、複数の鍵保持部３１のそれぞれに設けられた操作ボタン５１は、通常モードが設定されている場合に、複数の鍵保持部３１の中からいずれかを選択する選択指定を受け付ける。なお、各鍵保持部３１にそれぞれ設けられた保持部識別表記部５３を液晶素子とし、それぞれに対応する鍵・保持部識別番号と用途情報とを表示させるようにしても良い。
【００４０】
そして、この表示ランプ５０が点灯した、選択指定の受け付け可能な操作ボタン５１の中から所望のものが担当者によって押圧操作されると、制御部５５は、この操作ボタン５１が設けられた鍵保持部３１の鍵ロック機構４６を駆動しロックを解除して、鍵１１を取り外し可能とする。つまり、操作ボタン５１が鍵保持部３１の選択指定を受け付けると、制御部５５は鍵ロック機構４６でこの選択指定された鍵保持部３１のロックを解除する。このように鍵保持部３１のロック状態が解除されることにより担当者が鍵保持部３１から鍵１１を持ち出すことになる。
【００４１】
すると、制御部５５は、この鍵保持部３１の通信部５２が、キーホルダ４２のＩＤチップ４３と通信不可となることでその持ち出しを検出する。制御部５５は、この鍵１１の持ち出しに際して読み取ったＩＤカード２３の担当者識別番号と、操作ボタン５１が押圧された鍵保持部３１の鍵・保持部識別番号と、操作ボタン５１が押された鍵保持部３１からの鍵１１の持ち出し時刻（持出・返却情報）と、返却時刻（持出・返却情報。この時点では未返却であるためデータは空欄とされる）とを含む図４に示すような持出・返却状況データを記憶部５６に記憶させる。図４に示す持出・返却状況データの一例においては、「００１」の鍵・保持部識別番号の鍵保持部３１から鍵１１を、「７７７」の担当者識別番号の担当者が、「１０：１０」の持ち出し時刻で持ち出し、「１０：２０」の返却時刻で返却したことを表している。つまり、制御部５５は、通信部５２の検出結果である持ち出し時刻および返却時刻を鍵・保持部識別番号と関連付けて記憶部５６に記憶させる。なお、当然のことながら、表示ランプ５０が点灯した以外の操作ボタン５１が操作されても、制御部５５は、この操作ボタン５１が設けられた鍵保持部３１のロック状態を解除することはない。
【００４２】
そして、制御部５５は、鍵１１の持ち出しが行われるたびに、記憶部５６に、上記した持出・返却状況データを、持ち出し時間順に時系列的に並べて記憶させ、記憶用ログデータを作成する。
【００４３】
なお、鍵１１の取り出し後、担当者はカバー１６を閉じることになる。すると、カバー１６の係合突起部１８が、鍵管理装置本体１４の係合挿入穴３２に進入するとともに、カバー１６の検出突起部１９が、鍵管理装置本体１４の検出挿入穴３３に進入することになり、この検出突起部１９を開閉検出センサ３７が検出すると、カバーロック機構３５が自動的にカバー１６を閉状態でロックする。なお、制御部５５は、鍵１１の取り出しを検出した後、所定時間経過しても、検出突起部１９を開閉検出センサ３７が検出しない場合（検出カバー１６が閉じられない場合）、アラームを発生させる。
【００４４】
一方、担当者が鍵管理装置１０に鍵１１を返却する場合には、まず、カードリーダ２４にＩＤカード２３を走査させるとともに、鍵１１の持ち出し許可のために設定された暗証番号を操作部２１に入力する。すると、カードリーダ２４は、読み取ったＩＤカード２３の担当者識別番号および入力された暗証番号を制御部５５に送信することになり、制御部５５は記憶部５６に記憶されたデータと照合することで担当者識別番号および暗証番号が適正である場合に、カバーロック機構３５を駆動してカバー１６のロックを解除するとともに、この担当者識別番号に対して設定された鍵・保持部識別番号を有する鍵保持部３１のすべての操作ボタン５１の表示ランプ５０を点灯させる。
【００４５】
担当者は、ロックが解除されたカバー１６を開き、表示ランプ５０が点灯している鍵保持部３１の中から、鍵１１のキーホルダ４２の鍵識別表記部４４に表記された鍵・保持部識別番号と同じ鍵・保持部識別番号が表記された保持部識別表記部５３を有する鍵保持部３１のキーホルダ装着穴４５に、キーホルダ４２を挿入する。すると、制御部５５は、通信部５２でこのキーホルダ４２のＩＤチップ４３から鍵・保持部識別番号を読み出し、この鍵・保持部識別番号がこの鍵保持部３１の鍵・保持部識別番号に一致しているか否かを確認する。これらの鍵・保持部識別番号が一致している場合のみ、鍵１１の返却を検出して、鍵ロック機構４６でこの鍵１１をロック状態にする。それとともに、制御部５５は、記憶部５６に記憶されているこの鍵・保持部識別番号を有する最新の持出・返却状況データの返却時刻にこの鍵１１を検出した時刻を書き込む。
【００４６】
他方、制御部５５は、鍵保持部３１および鍵１１の鍵・保持部識別番号が一致しない場合に鍵ロック機構４６によるキーホルダ４２のロックをせず、この鍵保持部３１の操作ボタン５１の表示ランプ５０を点滅させ、アラームを発生させる。
【００４７】
なお、鍵１１の返却後、担当者がカバー１６を閉じると、カバー１６の係合突起部１８が、鍵管理装置本体１４の係合挿入穴３２に進入するとともに、カバー１６の検出突起部１９が、鍵管理装置本体１４の検出挿入穴３３に進入することになり、この検出突起部１９を開閉検出センサ３７が検出すると、カバーロック機構３５が自動的にカバー１６を閉状態でロックする。
【００４８】
「ログ出力モード」
ログ出力モードについて説明する。表示部２２へ上記したモード選択画面を表示させた状態で、ログ出力モードが選択されると、制御部５５は、記憶部５６に記憶されている上記した記憶用ログデータを読み出し、この記憶用ログデータを構成する各持出・返却状況データにある鍵・保持部識別番号（つまり選択指定を受け付けた鍵保持部３１の鍵・保持部識別番号）のそれぞれについて、関連する用途情報を記憶部５６から読み出して、各持出・返却状況データの中にそれぞれ対応する用途情報を含ませる。
【００４９】
このようにして、それぞれが用途情報を含む持出・返却状況データが時系列的に並べられた図５に示すような出力用ログデータ（用途情報を含むログ情報）を作成する。図５に示す出力用ログデータの一例においては、「２００７／３／３」の日付の日に、「００１」の鍵・保持部識別番号の鍵保持部３１から「キンコ  トビラ」の鍵１１を、「７７７」の担当者識別番号の担当者が、「１０：１０」の持ち出し時刻で持ち出し、「１０：２０」の返却時刻で返却したこと、「００２」の鍵・保持部識別番号の鍵保持部３１から「ＡＴＭ１ゴウキ  トビラ」の用途情報を有する鍵１１を、「７８９」の担当者識別番号の担当者が、「１０：１５」の持ち出し時刻で持ち出し、「１０：２５」の返却時刻で返却したこと、「００３」の鍵・保持部識別番号の鍵保持部３１から「ＡＴＭ１ゴウキ  シュウノウコＡ  カギ」の用途情報を有する鍵１１を、「７８９」の担当者識別番号の担当者が、「１０：１６」の持ち出し時刻で持ち出し、「１０：２６」の返却時刻で返却したこと、「００４」の鍵・保持部識別番号の鍵保持部３１から「ＡＴＭ１ゴウキ  カイシュウコ  カギ」の用途情報を有する鍵１１を、「７８９」の担当者識別番号の担当者が、「１０：１７」の持ち出し時刻で持ち出し、「１０：２７」の返却時刻で返却したことを表している。ここで、出力用ログデータは、例えば、前回出力が行われた出力用ログデータに含まれる持出・返却状況データよりも後に記憶された持出・返却状況データからなるもの、出力する当日に記憶された持出・返却状況データからなるもの、操作部２１へ指定入力された日付あるいは期間の日に記憶された持出・返却状況データからなるもの等である。
【００５０】
そして、制御部５５は、このようにして作成した出力用ログデータをプリンタ部２５で用紙に出力させる。つまり、制御部５５は、操作ボタン５１で選択指定を受け付けた鍵保持部３１の鍵・保持部識別番号に関連する用途情報を記憶部５６から読み出すとともに、操作ボタン５１で選択指定を受け付けた鍵保持部３１の保持部識別情報に関連する持ち出し時刻および返却時刻を記憶部５６から読み出し、これら用途情報および持ち出し時刻および返却時刻の出力用ログデータを作成して、プリンタ部２５で出力させる。なお、鍵・保持部識別番号の横に用途情報を表示しても良く、鍵・保持部識別番号の代わりに用途情報を表示しても良い。また、出力用ログデータをプリンタ部２５で用紙に出力させるのではなく、別途のパーソナルコンピュータからなるデータ管理装置に出力して記憶させても良く、用紙への出力とデータ管理装置への記憶との両方を行っても良い。
【００５１】
なお、制御部５５は、上記のように操作部２１で出力操作を受け付けるとプリンタ部２５で出力用ログデータを出力させるのではなく、主電源がオンされた基準時点から、予め設定された所定の時間が経過したか否かを判断し、この所定の時間が経過したと判断した場合に、出力用ログデータを用紙あるいは別途のデータ管理装置に出力するようにしても良い。あるいは、前回出力用ログデータを出力した基準時点から、予め設定された所定の時間（例えば一週間）が経過したか否かを判断し、この所定の時間が経過したと判断した場合に、出力用ログデータを用紙あるいは別途のデータ管理装置に出力するようにしても良い。あるいは、制御部５５は、その時計機能を利用して、予め設定された所定の時刻となったか否かを判断し、所定の時刻になったと判断した場合に、出力用ログデータを用紙あるいは別途のデータ管理装置に出力するようにしても良い。さらには、これらを適宜組み合わせるようにしても良い。
【００５２】
「管理モード」
管理モードについて説明する。表示部２２へ上記したモード選択画面を表示させた状態で、管理モードが選択されると、制御部５５は、表示部２２に、変更あるいは新規入力する鍵保持部３１の選択操作を促す画面を表示させる。これを見た担当者は、所望の鍵保持部３１の操作ボタン５１を押す。つまり、変更あるいは新規の鍵本体４１がキーホルダ４２に取り付けられ、用意された鍵１１の鍵識別表記部４４と同じ鍵・保持部識別番号を有する保持部識別表記部５３の鍵保持部３１の操作ボタン５１を押す。すると、制御部５５は、操作ボタン５１が押された鍵保持部３１の鍵・保持部識別番号が選択指定されたことを認識するとともに、表示部２２に、変更あるいは新規入力する用途情報の入力を促す画面を表示させ、用途情報の入力を受け付ける状態となる。なお、操作部２１への鍵・保持部識別番号の入力で、制御部５５が選択指定された鍵保持部３１を認識するようにしても良い。
【００５３】
これを見た担当者は、操作部２１の操作キー２１ａを用いたカナ入力および英字入力等で用途情報を入力する。例えば、図３に示すように、鍵・保持部識別番号の「００１」に対する用途情報として「キンコ  トビラ」を入力したり、鍵・保持部識別番号の「００２」に対する用途情報として「ＡＴＭ１ゴウキ  トビラ」を入力したり、鍵・保持部識別番号の「００３」に対する用途情報として「ＡＴＭ１ゴウキ  シュウノウコＡ  カギ」を入力したり、鍵・保持部識別番号の「００４」に対する用途情報として「ＡＴＭ１ゴウキ  カイシュウコ  カギ」を入力したりする。このように入力が行われると、制御部５５は、用途情報の入力直前に選択指定された鍵・保持部識別番号に対してこの用途情報を関連付けて記憶部５６に記憶させる。つまり、制御部５５は、操作ボタン５１が鍵保持部３１の選択指定を受け付けると、当該選択指定された鍵保持部３１の鍵・保持部識別番号と、当該選択指定に関連して操作部２１によって入力された用途情報とを関連付けて記憶部５６に記憶させる。
【００５４】
次に、制御部５５は、表示部２２に、鍵１１の装着を促す画面を表示させる。これを見た担当者は、キーホルダ４２の鍵識別表記部４４と同じ表記の保持部識別表記部５３を有する鍵保持部３１のキーホルダ装着穴４５に、このキーホルダ４２を挿入することになる。すると、鍵保持部３１は、通信部５２がキーホルダ４２のＩＤチップ４３と通信して鍵・保持部識別番号を読み出すことになり、この鍵・保持部識別番号と、この鍵・保持部識別番号を検出した通信部５２を有する鍵保持部３１の鍵・保持部識別番号とが一致していれば、鍵ロック機構４６でキーホルダ４２をロックする。鍵・保持部識別番号が一致しない場合はロックせずにアラームを発生させる。
【００５５】
このような、鍵保持部３１の操作ボタン５１の選択指定、用途情報の入力、鍵・保持部識別番号および用途情報の関連付け記憶、ＩＤチップ４３からの鍵・保持部識別番号の検出および鍵・保持部識別番号の一致確認を、鍵１１の数分繰り返し行う。
【００５６】
以上のような管理モードの後に制御部５５が作成する出力用ログデータには、管理モードで実行された変更あるいは新規入力が反映されることになる。なお、管理モードにおいて、対象となる鍵保持部３１のキーホルダ装着穴４５にキーホルダ４２を挿入し通信部５２がキーホルダ４２のＩＤチップ４３と通信して鍵・保持部識別番号の一致を確認してから、この鍵・保持部識別番号に対応する用途情報の操作部２１への入力を行っても良い。
【００５７】
以上に述べた本実施形態の鍵管理装置１０によれば、操作ボタン５１が複数の鍵保持部３１の中からいずれかを選択する選択指定を受け付けると、制御部５５が、選択指定された鍵保持部３１の保持部識別情報に関連する、保持する鍵１１の用途情報を、これら保持部識別情報と用途情報とを関連付けて記憶している記憶部５６から読み出して出力する。このように、保持する鍵１１の用途情報を出力するため、担当者に対するサポート性を向上することができる。
【００５８】
具体的には、操作ボタン５１が複数の鍵保持部３１の中からいずれかを選択する選択指定を受け付けると、制御部５５が、操作ボタン５１で選択指定を受け付けた鍵保持部３１の鍵・保持部識別番号に関連する、保持する鍵１１の用途情報を、これら鍵・保持部識別番号と用途情報とを関連付けて記憶している記憶部５６から読み出して、この用途情報を含む出力用ログデータを作成することになり、プリンタ部２５が、このように作成された用途情報のログ情報を用紙で出力することになる。このように、保持する鍵１１の用途情報を含むログ出力データを出力するため、担当者に対する、特に鍵１１の使用状況の確認作業のサポート性を向上することができる。なお、用紙で出力するのではなく、表示部２２に画面表示させても良く、両方を行っても良い。
【００５９】
加えて、制御部５５が、操作ボタン５１で選択指定を受け付けた鍵保持部３１の鍵・保持部識別番号に関連する、保持する鍵１１の用途情報を、これらを関連付けて記憶している記憶部５６から読み出すとともに、操作ボタン５１で選択指定を受け付けた鍵保持部３１の鍵・保持部識別番号に関連する持ち出し時刻および返却時刻を、これらを関連付けて同様に記憶している記憶部５６から読み出して、これら用途情報、持ち出し時刻および返却時刻を含むログ出力データを作成すると、プリンタ部２５が、このように作成された用途情報、持ち出し時刻および返却時刻を含むログ出力データを用紙で出力することになる。このように、保持する鍵１１の用途情報、持ち出し時刻および返却時刻を含むログ出力データを出力するため、鍵１１の使用状況の確認がさらに容易となる。
【００６０】
さらに、操作部２１が出力操作を受け付けると、プリンタ部２５が、制御部５５によって作成されたログ出力データを出力することになるため、任意のタイミングでログ出力データを出力することができる。
【００６１】
ここで、制御部５５が、前回出力時点あるいは主電源のオン時点等の基準時点から所定の時間が経過したと判断すると、プリンタ部２５が、制御部５５によって作成されたログ情報を出力するようにすれば、適宜のタイミングで自動的にログ出力データを出力することができる。
【００６２】
また、制御部５５が所定の時刻になったと判断すると、プリンタ部２５が、制御部５５によって作成されたログ出力データを出力するようにしても、適宜のタイミングで自動的にログ出力データを出力することができる。
【００６３】
加えて、操作ボタン５１が鍵保持部３１の選択指定を受け付けると、制御部５５が、当該選択指定された鍵保持部３１の鍵・保持部識別番号と、当該選択指定に関連して操作部２１によって入力された用途情報とを関連付けて記憶部５６に記憶させるため、保持する鍵１１を変更した場合等に、変更に応じて、記憶部５６に記憶する用途情報を変更することができる。
【００６４】
さらに、制御部５５は、操作部２１によって通常モードが設定されている場合に、操作ボタン５１が鍵保持部３１の選択指定を受け付けると、当該選択指定を受け付けた鍵保持部３１の識別情報に関連する用途情報を記憶部５６から読み出して出力することになる一方、操作部２１によって管理モードが設定されている場合に、操作ボタン５１が鍵保持部３１の選択指定を受け付けると、当該選択指定された鍵保持部３１の識別情報と、当該選択指定に関連して操作部２１によって入力された用途情報とを関連付けて記憶部５６に記憶させるため、共用の操作ボタン５１を別の操作用として用いることができる。
【００６５】
なお、上記のように、ログ出力データを作成するのではなく、制御部５５が、操作ボタン５１で選択指定を受け付けた鍵保持部３１の鍵・保持部識別番号に関連する用途情報を記憶部５６から読み出して表示部（出力制御手段）２２に表示させるだけでも良い。
【００６６】
また、上記のように、鍵１１の使用の都度作成される担当者識別番号、鍵・保持部識別番号、持ち出し時刻および返却時刻からなる持出・返却状況データを、持ち出し時間順に時系列的に並べて記憶用ログデータを作成しておき、ログデータの出力時に、鍵・保持部識別番号に対応する用途情報を読み出しこれを追加して出力用ログデータを作成して、これを出力するのではなく、鍵１１の使用の都度作成される持出・返却状況データに鍵・保持部識別番号に対応する用途情報を含めて記憶用ログデータを作成しておき、出力時にこの記憶用ログデータをそのまま出力するようにしても良い。
【００６７】
さらに、表示ランプ５０を鍵１１が取り出されている場合に点灯させ、鍵１１が戻されたら消灯させるようにしても良い。
【００６８】
また、キーホルダ４２の鍵識別番号とこのキーホルダ４２を保持する鍵保持部３１の保持部識別番号とを異なる番号としても良い。この場合、記憶部５６には、各鍵保持部３１の保持部識別番号に一対一で対応して、保持する鍵１１の鍵識別番号が互いに関連付けされて記憶されることになる。また、この場合、管理モードにおいては、キーホルダ装着穴４５に挿入されたキーホルダ４２のＩＤチップ４３から読み取った鍵識別番号と、読み取りを行った鍵保持部３１の保持部識別番号とを関連付けて記憶部５６に記憶させるようにする。
【００６９】
なお、操作部２１を用いて複数の鍵保持部３１の中からいずれかを選択する選択指定を受け付けることも可能である。
【００７０】
さらに、鍵１１を管理する鍵管理装置１０以外にもＩＤカード等の管理カードを管理するカード管理装置にも適用可能である。さらに、印鑑等を管理する管理装置にも適用可能である。
【００７１】
加えて、上記した鍵管理装置１１と同様の鍵管理機を複数台有し、これらを共通の管理サーバで一括して管理するタイプの鍵管理装置にも適用可能である。
【図面の簡単な説明】
【００７２】
【図１】本発明に係る重要物管理装置の一実施形態である鍵管理装置を示す斜視図である。
【図２】本発明に係る重要物管理装置の一実施形態である鍵管理装置の制御系ブロック図である。
【図３】本発明に係る重要物管理装置の一実施形態である鍵管理装置における記憶部の記憶例である。
【図４】本発明に係る重要物管理装置の一実施形態である鍵管理装置における持出・返却状況データの例である。
【図５】本発明に係る重要物管理装置の一実施形態である鍵管理装置におけるログ出力データの例である。
【符号の説明】
【００７３】
１０  鍵管理装置（重要物管理装置）
１１  鍵（重要物）
２１  操作部（出力操作手段，用途情報入力手段，モード設定手段）
２５  プリンタ部（出力制御手段，出力手段）
３１  鍵保持部（保持手段）
４６  鍵ロック機構（ロック解除手段）
５１  操作ボタン（第１の指定手段，第２の指定手段）
５２  通信部（取出・返却検出手段）
５５  制御部（出力制御手段，ログ情報作成手段，経過時間判断手段，時刻判断手段，記憶制御手段，モード設定手段）
５６  記憶部（基本情報記憶手段，持出・返却記憶手段）
【図１】
2008223426.tif 000003
【図２】
2008223426.tif 000004
【図３】
2008223426.tif 000005
【図４】
2008223426.tif 000006
【図５】
2008223426.tif 000007